(57)【要約】【課題】駐車場に関する情報をユーザに提供する【解決手段】駐車場２内に設置した複数のアンテナ３（３ａ〜３ｆ）と、駐車場２内に存在する車両Ｖの情報を管理する管理装置４と、を備え、車両Ｖ側から発信される無線信号に含まれる車両識別情報を用いる駐車場管理システム１であって、管理装置４は、アンテナ３を介して無線信号を受信すると、無線信号を受信したアンテナの識別番号（アンテナＩＤ）と、受信した無線信号に含まれる車両識別情報とを関連付けて、車両データベース４２１に登録する登録手段４１１と、車両識別情報に基づいて車両Ｖの駐車位置を示す情報が要求されると、車両データベース４２１を参照して、車両識別情報に関連付けられたアンテナＩＤを取得し、取得したアンテナＩＤにより特定されるアンテナの設置位置に基づいて、車両の駐車位置を提示する駐車位置提示手段４１３と、を有する構成とした。【選択図】図１
2016057985.tif 000002
【特許請求の範囲】
【請求項１】
車両側から発信される無線信号のうち、前記車両を識別可能な車両識別情報を含む無線信号を用いる駐車場管理システムであって、
複数の駐車スペースを有する駐車場内に設置した複数のアンテナと、前記駐車場内に存在する車両の情報を管理する管理装置と、を備え、
前記管理装置は、
前記アンテナを介して前記無線信号を受信すると、無線信号を受信したアンテナの識別番号と、受信した無線信号に含まれる前記車両識別情報とを関連付けて、車両データベースに登録する登録手段と、
前記車両識別情報に基づいて前記車両の駐車位置を示す情報が要求されると、前記車両データベースを参照して、前記車両識別情報に関連付けられた前記アンテナの識別番号を取得し、取得した識別番号のアンテナの設置位置に基づいて、前記車両の駐車位置を提示する駐車位置提示手段と、を有することを特徴とする駐車場管理システム。
【請求項２】
前記無線信号は、前記車両のタイヤの空気圧をモニタするモニタ装置が、タイヤ空気圧に関する情報に前記モニタ装置の識別番号を付加して、定期的に送信する無線信号であり、
前記管理装置では、前記モニタ装置の識別番号を、前記車両識別情報として用いていることを特徴とする請求項１に記載の駐車場管理システム。
【請求項３】
前記駐車場内の駐車スペースは、複数の駐車ブロックに区画されており、前記アンテナは、前記駐車ブロックの各々に設けられて、前記アンテナが設けられた前記駐車ブロック内に位置する車両から送信される前記無線信号を受信するように構成されており、
前記駐車位置提示手段は、前記車両識別情報に基づいて前記車両の駐車位置を示す情報が要求されると、前記車両データベースを参照して、前記車両識別情報に関連付けられた前記アンテナの識別番号を取得し、取得した識別番号のアンテナが設置された駐車ブロックを、前記車両の駐車位置として提示することを特徴とする請求項１または請求項２に記載の駐車場管理システム。
【請求項４】
前記管理装置は、前記車両データベースに登録されている情報を管理する情報管理手段を有しており、
前記情報管理手段は、前記駐車場の出口に設けられたアンテナにより、前記車両識別情報を含む無線信号を受信すると、受信した無線信号に含まれる前記車両識別情報に関係する情報を、前記車両データベースから削除することを特徴とする請求項１から請求項３の何れか一項に記載の駐車場管理システム。
【請求項５】
前記情報管理手段は、前記駐車場の出口に設けられたアンテナを除く他のアンテナを介して受信した無線信号に含まれる車両識別情報が、前記車両データベースに登録されている場合、
前記車両識別情報と前記アンテナの識別番号との関連付けを、新たに無線信号を受信したアンテナの識別番号との関連づけで更新することを特徴とする請求項４に記載の駐車場管理システム。
【請求項６】
前記情報管理手段は、前記アンテナの識別番号との関連づけが所定時間以上更新されない車両識別情報に関係する情報を、前記車両データベースから削除することを特徴とする請求項５に記載の駐車場管理システム。
【請求項７】
前記管理装置は、前記車両データベースに登録されている情報から生成される情報であって、前記駐車場内での車両の駐車状況に関する情報を表示装置に表示させる情報表示手段を有していることを特徴とする請求項１から請求項６の何れか一項に記載の駐車場管理システム。
【請求項８】
前記駐車場管理システムは、前記駐車場における車両の駐車位置を検索する検索装置を、さらに備えており、
前記検索装置は、
前記車両識別情報に基づいて前記車両の駐車位置を示す情報が要求されると、前記車両識別情報に基づいて、前記管理装置の前記車両データベースから、車両の駐車位置を示す情報を取得する情報取得手段と、
取得した前記車両の駐車位置を示す情報を提示する情報提示手段と、を有することを特徴とする請求項１から請求項７の何れか一項に記載の駐車場管理システム。
【請求項９】
前記駐車場の入口には、前記駐車場に入場する車両に対して情報記録媒体を発行する発行装置が設けられており、
前記発行装置は、前記駐車場の入口に設定されたアンテナが前記無線信号を受信すると、受信した無線信号に含まれる前記車両識別情報を、前記情報記録媒体に記憶させるように構成されており、
前記検索装置は、
前記情報記録媒体に記憶された前記車両識別情報を取得する識別情報取得手段を備えており、
前記情報取得手段は、前記識別情報取得手段が、前記情報記録媒体に記憶されている前記車両識別情報を取得すると、取得した前記車両識別情報に基づいて、前記管理装置の前記車両データベースから車両の駐車位置を示す情報を取得することを特徴とする請求項８に記載の駐車場管理システム。
【請求項１０】
前記駐車場に関する情報を公開するためのデータベースであって、外部端末から通信回線を介してアクセス可能な公開用データベースを有するサーバ装置を備えており、
前記外部端末は、ユーザが所持する携帯機であることを特徴とする請求項９に記載の駐車場管理システム。
【発明の詳細な説明】
【技術分野】
【０００１】
本発明は、駐車場管理システムに関する。
【背景技術】
【０００２】
特許文献１には、駐車場における自車両の駐車位置を知ることができる車両位置表示システムが開示されている。
【先行技術文献】
【特許文献】
【０００３】
【特許文献１】特開２００４−１１８３５６号公報
【０００４】
特許文献１の車両位置表示システムでは、ユーザが所持する携帯電話にＧＰＳレシーバが設けられており、ＧＰＳレシーバにより現在位置の情報を取得すると共に、携帯電話網を介して車両の駐車位置の情報を取得したのち、携帯電話のディスプレイに表示させた地図上に、携帯電話の現在位置と車両の駐車位置とを重畳表示することで、携帯電話を所持するユーザが、自車両の駐車位置を知ることができるようにしている。
【発明の概要】
【発明が解決しようとする課題】
【０００５】
しかし、この車両位置表示システムは、例えば地下駐車場のように、携帯電話が圏外となって使用できない場合やＧＰＳ衛星からのＧＰＳ信号を受信できない場合、そして、立体駐車場のように、ＧＰＳレシーバにより取得した位置情報だけでは、立体駐車場におけるどの階層にいるのかが判らない場合には、ユーザが自車両の位置を知ることができなかった。
【０００６】
そのため、携帯電話網や衛生から送信される信号に大きく依存せずに、車両の駐車位置のような駐車場に関する情報を、ユーザに知らせることができるようにすることが求められている。
【課題を解決するための手段】
【０００７】
本発明は、
車両側から発信される無線信号のうち、前記車両を識別可能な車両識別情報を含む無線信号を用いる駐車場管理システムであって、
複数の駐車スペースを有する駐車場内に設置した複数のアンテナと、前記駐車場内に存在する車両の情報を管理する管理装置と、を備え、
前記管理装置は、
前記アンテナを介して前記無線信号を受信すると、無線信号を受信したアンテナの識別番号と、受信した無線信号に含まれる前記車両識別情報とを関連付けて、車両データベースに登録する登録手段と、
前記車両識別情報に基づいて前記車両の駐車位置を示す情報が要求されると、前記車両データベースを参照して、前記車両識別情報に関連付けられた前記アンテナの識別番号を取得し、取得した識別番号のアンテナの設置位置に基づいて、前記車両の駐車位置を提示する駐車位置提示手段と、を有する構成の駐車場管理システムとした。
【発明の効果】
【０００８】
本発明によれば、車両側から発信される無線信号に含まれている情報（車両識別情報）に基づいて車両データベースを参照すると、車両識別情報に関連づけられた識別番号のアンテナを特定でき、特定したアンテナの位置から、車両の駐車位置を知ることができる。
よって、携帯電話網や衛星から送信される信号に依存せずに、車両の駐車位置のような駐車場に関する情報を、ユーザに知らせることができる。
【図面の簡単な説明】
【０００９】
【図１】実施の形態にかかる駐車場管理システムを説明する図である
【図２】管理装置の機能ブロック図である
【図３】車両データベースを説明する図である。
【図４】検索用端末での駐車位置情報の表示例を説明する図である。
【図５】公開用データベースを説明する図である。
【図６】表示装置での駐車場情報の表示例を説明する図である。
【図７】管理装置での処理を説明するフローチャートである。
【図８】管理装置での処理を説明するフローチャートである。
【図９】管理装置での処理を説明するフローチャートである。
【発明を実施するための形態】
【００１０】
以下、本発明の実施の形態を説明する。
図１は、実施の形態にかかる駐車場管理システム１を説明する図であり、（ａ）は、駐車場管理システム１を採用した平面駐車場の俯瞰図であり、（ｂ）は、駐車場管理システム１の概略構成図である。
【００１１】
駐車場管理システム１では、車両Ｖ側から定期的に発信される無線信号のうち、車両Ｖを識別する情報を含む無線信号を用いて、駐車場２の混雑状況や、空き駐車スペースの位置などの駐車場に関する情報（駐車場情報）を管理すると共に、ユーザの要求に応じて駐車場情報や、駐車場内での車両の駐車位置を示す情報（駐車位置情報）を提供するように構成されている。
【００１２】
実施の形態では、車両Ｖに搭載されたタイヤ空気圧モニタシステム９０（ＴＰＭＳ）で用いられる無線信号を、駐車場情報や駐車位置情報の管理に用いている。
タイヤ空気圧モニタシステム９０は、車両の４本のタイヤの各々に設けられた空気圧センサ９１と、各タイヤの空気圧をモニタするモニタ装置９２と、を有しており、各空気圧センサ９１が、測定したタイヤの空気圧を示す情報（空気圧情報）に、当該空気圧情報を送信する空気圧センサ９１の識別番号を付加して、モニタ装置９２に無線送信する構成となっている。
【００１３】
ここで、タイヤ空気圧モニタシステム９０では、空気圧センサ９１から送信された空気圧情報が、どのタイヤの空気圧を示す情報であるのかを特定できるようにするために、各空気圧センサ９１の識別番号は異なる値に設定されている。
そして、空気圧センサ９１は大量生産品であるため、各空気圧センサ９１の識別番号は、一度用いられた識別番号と重複しないように設定されている。
そのため、実施の形態では、空気圧センサ９１が送信する無線信号に含まれる空気圧センサ９１の識別番号を、車両Ｖを識別する情報（車両識別情報）として利用している。
【００１４】
駐車場管理システム１が設けられた駐車場２は、複数の駐車スペースＳ（Ｓ１〜Ｓ１６）を有している。
これら複数の駐車スペースＳ（Ｓ１〜Ｓ１６）は、４つの駐車ブロックＡ〜Ｄに区画されており、各駐車ブロックＡ〜Ｄには、駐車スペースＳが４つずつ割り当てられている。
ここで、以下の説明においては、駐車スペースＳ１〜Ｓ１６を特に区別しない場合には、単純に駐車スペースＳと表記し、駐車ブロックＡ〜Ｄを特に区別しない場合には、単純に駐車ブロックと表記する。
【００１５】
駐車場管理システム１は、駐車場２内に設置された複数のアンテナ３ａ〜３ｆと、駐車場２内に存在する車両に関係する情報（車両識別情報、駐車位置情報、駐車場情報）を管理する管理装置４と、管理装置４から車両位置情報を取得する検索用端末５と、駐車場情報を表示する案内装置６と、駐車場情報の公開用サーバ７と、を有している。
【００１６】
アンテナ３ａ〜３ｄは、各駐車ブロックＡ〜Ｄに１つずつ設けられており、アンテナ３ａ〜３ｄの各々は、設置された駐車ブロック内に位置する車両から送信された無線信号（車両識別情報を含む無線信号）のみが受信可能となるように設定されている。
【００１７】
アンテナ３ｅは、駐車場２の出口に設置された出口端末３１に設けられており、アンテナ３ｅは、駐車場２の出口を通過する車両から送信された無線信号のみが受信可能となるように、受信可能範囲（図中符号Ｅ参照）が設定されている。
アンテナ３ｆは、駐車場２の入口に設置された入口端末３２に設けられており、アンテナ３ｆは、駐車場２の入口を通過する車両から送信された無線信号のみが受信可能となるように、受信可能範囲（図中符号Ｆ参照）が設定されている。
【００１８】
管理装置４は、ＣＰＵ４１と、記憶部４２と、入出力ポート（Ｉ／Ｏ）４３と、を備えており、これらは、バス４０を介して、互いに接続されている。
この管理装置４の入出力ポート４３には、前記したアンテナ３ａ〜３ｄと、出口端末３１と、入口端末３２と、検索用端末５と、案内装置６と、公開用サーバ７と、が接続されている。
【００１９】
出口端末３１は、駐車場２の出口に設置された出場管理装置であり、駐車場２が有料駐車場である場合には、駐車料金の精算機能を有すると共に、駐車場２の出口にゲートが設置されている場合には、駐車料金の精算完了に連動してゲートを開閉する機能を有している。
【００２０】
入口端末３２は、駐車場２の入口に設置された入場管理装置であり、駐車場２が有料駐車場である場合には、駐車場への入庫時間を記憶した情報記録媒体を発券する発券機能を有している。
なお、入口端末３２は、情報記録媒体の発券する際に、入口端末３２のアンテナ３ｆの受信可能範囲Ｆ内に位置する車両から送信された無線信号を受信した場合には、受信した無線信号に含まれる車両識別情報を、情報記憶媒体に記憶させる機能を有している。
また、駐車場２の入口にゲートが設置されている場合には、駐車場内の混雑に応じて、駐車場内への車両の入場の制限を行う機能を有している。
【００２１】
検索用端末５は、駐車場２内や、駐車場２が付設されたショッピングセンターなどに複数設置された端末であり、駐車場２内での車両の駐車位置の検索機能を有していると共に、検索された駐車位置を示す情報（駐車位置情報）を、検索用端末５が備える表示部５３に表示させる機能を有している。
また、駐車場２が有料駐車場である場合には、駐車料金の事前精算機能を有している。
【００２２】
案内装置６は、駐車場２内や、駐車場２への車両の移動経路上に設置された掲示板であり、駐車場内での混雑状況を示す情報や、空いている駐車スペースに車両を誘導するための情報などの駐車場情報を、例えば文字情報、図形情報、文字情報と図形情報の組み合わせなどで、案内装置６が備える表示部（例えば、液晶表示画面）に提示する機能を有している。
【００２３】
管理装置４の記憶部４２は、例えばＨＤＤ（ハードディスクドライブ）やメモリなどの情報記録媒体から構成されており、ＣＰＵ４１で実施される各処理の制御プログラムなどを記憶している。
さらに、記憶部４２には、駐車場２内に存在する車両の車両識別情報と駐車位置情報とが関連付けて登録された車両データベース（車両ＤＢ）４２１と、外部に公開する駐車場情報（混雑状況など）が纏められた公開用データベース（公開用ＤＢ）４２２と、が少なくとも用意されている。
【００２４】
公開用サーバ７は、管理装置４の公開用データベース４２２にミラーリングさせた公開用データベース７１を有するサーバ装置であり、この公開用データベース７１には、携帯電話網やインターネットＮＴに接続可能な機器（例えば、携帯端末Ｔ）が、携帯電話網やインターネットＮＴを介してアクセスできるようになっている。
実施の形態では、公開用データベース４２２に記憶されている駐車場情報が、携帯端末Ｔにインストールされたアプリケーションプログラムにより、携帯端末Ｔ側に読み出されて、携帯端末Ｔが備える表示画面上に、駐車場情報が表示されるようになっている。
【００２５】
図２は、管理装置４のＣＰＵ４１の機能ブロック図である。
図３は、車両データベース４２１を説明する図であり、（ａ）は、車両データベース４２１の構成例を説明する図であり、（ｂ）は、車両データベース４２１における更新時刻の更新例を説明する図である。
【００２６】
図２に示すように、管理装置４のＣＰＵ４１は、登録手段４１１と、情報管理手段４１２と、駐車位置提示手段４１３と、公開情報管理手段４１４と、駐車場情報提供手段４１５と、を有している。
【００２７】
登録手段４１１は、アンテナ３（３ａ〜３ｄ、３ｆ）で受信した無線信号に含まれる車両識別情報が、車両データベース４２１に登録されていない新規の車両識別情報である場合に、無線信号を受信したアンテナの識別番号（アンテナＩＤ）と、受信した無線信号に含まれる車両識別情報とを関連づけて、車両データベース４２１に登録する。
【００２８】
図３に示すように、車両データベース４２１では、車両データベース４２１での情報の登録順序を示すシリアル番号（Ｓ／Ｎ）と、アンテナ３の識別番号（アンテナＩＤ）と、車両識別情報と、車両データベース４２１への車両識別情報の最初の登録時刻と、車両識別情報の更新時刻と、が情報項目として含まれている。
【００２９】
ここで、時刻１０時４５分に入口端末３２のアンテナ３ｆで受信した無線信号に含まれる車両識別情報（Ａ００１０２１）が、車両データベース４２１に登録されていない新規の車両識別情報である場合を例に挙げて説明をする。
この場合には、車両データベース４２１に新たなシリアル番号番号（Ｓ／Ｎ＝０１０５）のレコードが作成されて、作成されたレコードの車両識別情報の欄に、車両識別情報（Ａ００１０２１）が入力される。さらに、アンテナＩＤの欄に、無線信号を受信したアンテナ３ｆのアンテナＩＤ（＝Ｆ）が入力されると共に、無線信号の受信時刻（１０：４５）が、登録時刻の欄と更新時刻の欄に入力されることになる。
【００３０】
情報管理手段４１２は、アンテナ３で受信した無線信号に含まれる車両識別情報が、車両データベース４２１に既に登録されている車両識別情報である場合に、登録済みの車両識別情報に関連づけられたアンテナＩＤを、登録済みの車両識別情報を含む無線信号を受信したアンテナ３のアンテナＩＤに更新する。
さらに、情報管理手段４１２は、アンテナＩＤの更新と同時に、車両データベース４２１の更新時刻を、登録済みの車両識別情報を含む無線信号を受信した時刻に更新する。
【００３１】
ここで、時刻１０時２０分に駐車場２の入口端末３２の前を通過した車両Ｖが、駐車場２内を移動して、駐車ブロックＤ内の駐車スペースＳ４に駐車されて、この車両から送信された無線信号が、時刻１０時２５分に駐車スペースＳ４のアンテナ３ｄで受信された場合を例にあげて説明をする。
【００３２】
この場合、図３の（ｂ）に示すように、駐車スペースＳ４に駐車された車両Ｖから送信される無線信号に含まれる車両識別情報は、車両Ｖが入口端末３２の前を通過した時点で車両データベース４２１に既に登録されていることになる。
この既に登録されている車両識別情報が、Ｘ０００１２３である場合には、この車両識別情報を有するレコード（Ｓ／Ｎ：０１２４）のアンテナＩＤの欄が、入口端末３２に設定された領域を示すアンテナＩＤ「Ｆ」から、駐車スペースＤの領域に設けられたアンテナ３ｄのアンテナＩＤ「Ｄ」に変更されると共に、更新時刻が、車両Ｖが入口端末３２の前を通過した時刻である「１０：２０」から、駐車スペースＳ４のアンテナ３ｄが無線信号を受信した時刻である「１０：２５」に更新されることになる。
【００３３】
前記したように、タイヤ空気圧モニタシステム９０の空気圧センサ９１は、所定間隔で車両識別情報を含む無線信号を送信するので、以降、この無線信号が受信される度に、更新時刻の内容が、アンテナ３ｄが無線信号を受信した時刻に更新されることになる。
【００３４】
また、車両における空気圧のモニタ対象のタイヤは４本であるので、実施の形態では、車両一台あたり、最大で４つの車両識別情報が、車両データベース４２１に登録される可能性がある。
ここで、空気圧センサ９１が無線信号を送信するタイミングは、空気圧センサ９１毎に異なるので、例えば同一の車両のタイヤであっても、図３の（ａ）に示すように、登録時間の異なる４つのレコード（Ｓ／Ｎ：００７８、００７９、００８４、００８５）に分散して登録されることになる。
【００３５】
さらに、情報管理手段４１２は、車両データベース４２１に登録されている車両識別情報の削除を実施する。
実施の形態では、（１）受信した無線信号が、出口端末３１のアンテナ３ｅを介して受信した無線信号である場合に、受信した無線信号に含まれる車両識別情報に関係する情報を、車両データベース４２１から削除する。
出口端末３１で車両識別情報を受信した場合には、当該車両識別情報を含む無線信号を発信した車両Ｖが、駐車場２の外部に出たことになるからである。
また、（２）車両データベース４２１に登録されている車両識別情報が所定時間以上更新されていない場合に、この更新されていない車両識別情報を、車両データベース４２１から削除する。
一台の車両について４つの車両識別情報が車両データベース４２１に登録されていた場合、出口端末３１の前を車両が通過する際に、すべての空気圧センサ９１から車両識別情報を含む無線信号が送信されることにはならないので、駐車場２から出場した車両の車両識別情報が残り続けることがないようにするためである。
【００３６】
駐車位置提示手段４１３は、例えばショッピングセンター内に設置された検索用端末５から、駐車場２における車両の駐車位置を示す情報（車両位置情報）が要求されると、この要求に付加されている車両識別情報（車両識別情報）に基づいて車両データベース４２１を参照して、車両識別情報に関連づけられているアンテナ３の識別番号（アンテナＩＤ）を取得する。
【００３７】
ここで、実施の形態では、駐車場２の駐車スペースＳ（Ｓ１〜Ｓ１６）は、４つの駐車ブロックＡ〜Ｄに区画されており、各駐車ブロックＡ〜Ｄに１つのアンテナ３ａ〜３ｄが設置されている。
そして、記憶部４２には、アンテナＩＤと駐車ブロックとの対応表と、アンテナＩＤにより特定される駐車ブロックを、検索用端末５の表示部に提示する際の提示態様の設定と、が記憶されている。
【００３８】
よって、駐車位置提示手段４１３は、車両識別情報に関連付けられているアンテナＩＤから、車両が駐車されている駐車ブロックが特定されると、特定された駐車ブロックを検索用端末５の表示部に提示させるのに必要な情報を、車両位置情報を要求した検索用端末５に出力する。
【００３９】
これにより、検索用端末５の表示部には、車両の駐車位置を示す情報が提示されることになる。
例えば、図４の（ａ）に示すように、駐車場における各駐車ブロックの位置関係を表示する模式図が、検索用端末５の表示部５３に表示される場合には、車両Ｖが駐車している駐車ブロック（例えば駐車ブロックＤ）が、他の駐車ブロックＤから視覚的に区別できる態様（例えば、着色表示）で表示されて、検索用端末５の操作者に、車両の大まかな駐車位置が提示されることになる。
【００４０】
なお、情報管理手段４１２が、無線信号をアンテナ３ａ〜３ｄで受信した際の無線信号の強度に応じて、アンテナ３ａ〜３ｄが設けられた駐車ブロックでの車両の駐車位置を特定するように構成されている場合には、図４の（ｂ）に示すように、駐車ブロック内のどの駐車スペースに、車両識別情報により特定される車両が駐車されているのかを提示できる（図４の（ｂ）の場合は、駐車スペースＳ４）。
【００４１】
なお、この検索用端末５の表示部に表示された駐車位置を示す情報に、駐車位置情報を要求した検索用端末５の設置場所から駐車場２までの経路や、駐車場における人の出入口の位置を示す情報を、重畳表示して、検索用端末５を操作した者の利便性を高めるようにしても良い。
【００４２】
公開情報管理手段４１４は、駐車ブロック毎の駐車状況を纏めた公開用データベース４２２を、車両データベース４２１の内容に基づいて更新する。
図５は、公開用データベース４２２における情報項目の一例を説明する図である。
【００４３】
公開用データベース４２２では、駐車ブロックの名称（駐車ブロック）と、各駐車ブロックに設置されたアンテナ３（３ａ〜３ｄ）の識別番号（アンテナＩＤ）と、アンテナ３（３ａ〜３ｄ）で受信した無線信号に含まれていた車両識別情報と、駐車ブロックの混雑状況とが、情報項目として含まれている。
【００４４】
実施の形態では、公開情報管理手段４１４が、所定時間毎に車両データベース４２１を参照して、各アンテナＩＤに関連づけられた車両識別情報を確認し、公開用データベース４２２に登録されていない車両識別情報が存在する場合には、登録されていない車両識別情報を、当該車両識別情報が関連づけられたアンテナＩＤの駐車ブロックの該当欄（車両識別情報欄）に登録する。
【００４５】
公開用データベース４２２における駐車ブロックのレコード数は、駐車場２での駐車ブロック数と同数（図１、図５の場合には、４つ）用意されており、各駐車ブロックに含まれる車両識別情報の登録欄は、「２０」レコード用意されている。
実施の形態では、各駐車ブロックに４つの駐車スペースが設定されており、各駐車スペースに駐車された車両から送信される車両識別情報の最大数は、車両における空気圧の監視対象のタイヤの数と同じ数（４つ）であるので、４つのスペースに４台の車両が駐車されている場合には、最大で１６個の車両識別情報が、駐車ブロックに設置されたアンテナで受信される。
【００４６】
実施の形態では、出口端末３１のアンテナ３ｅで受信した車両識別情報が、車両データベース４２１から削除されるようになっており、車両データベース４２１から削除されずに残る車両識別情報も生じ得るので、公開用データベース４２２は、最大で２０個の車両識別情報を登録できるようにしている。
なお、公開用データベース４２２に登録できる車両識別情報の最大数は、駐車場の規模や営業形態に応じて変更可能である。
【００４７】
実施の形態では、駐車場２内の混雑状況を示す情報が、外部に公表できる情報として用意されており、例えば、公開用データベース４２２には、駐車ブロックＡ〜Ｄごとの混雑状況が、「空」、「混」、「満」のうちの何れかの文字情報に関連付けて登録されている。
【００４８】
なお、混雑状況の欄の内容は、公開情報管理手段４１４が、公開用データベース４２２の各駐車ブロックＡ〜Ｄに登録されている車両識別情報の数に応じて、混雑状況の欄の内容を、「空」、「混」、「満」のうちの何れかに決定している。
【００４９】
なお、各駐車ブロックＡ〜Ｄに割り当てられた駐車可能台数が４台である実施の形態の場合、駐車可能台数が「０台」で有る場合には文字情報の「満」が、駐車可能台数が「２台以下」で有る場合には文字情報の「混」が、駐車可能台数が３台以上である場合には文字情報の「空」が、それぞれ混雑状況欄に割り当てられるようになっている。
【００５０】
なお、混雑状況の内容の決定は、この決定方法に限定されるものではなく、例えば、（１）駐車場２の入口または入口端末３２にセンサを設けて、駐車場２に入庫した車両の台数をカウントすると共に、（２）公開用データベース４２２に登録されている車両識別情報の駐車ブロック毎の割合を、（１）でカウントした車両の台数に掛けて、駐車ブロック毎の駐車台数を算出（推定）し、推定下駐車台数に応じて、「空」、「混」、「満」のうちの何れかに決定するようにしても良い。
ここで、駐車場２に入庫した車両台数のカウントは、入口端末３２が駐車料金算出のための駐車券の発券装置を備えている場合には、駐車券の発券枚数を、駐車場２に入庫した車両の台数として用いるようにしても良い。
【００５１】
駐車場情報提供手段４１５は、公開用データベース４２２を参照して、駐車場２における各駐車ブロックＡ〜Ｄでの混雑状況を示す情報を取得し、取得した混雑状況を示す情報を、案内装置６が備える表示部上に、例えば文字情報、図形情報、文字情報と図形情報の組み合わせなどで表示させる。
【００５２】
図６は、案内装置６での混雑状況を示す情報の表示例を説明する図である。
例えば、各駐車ブロックＡ〜Ｄの位置関係を示した図形上に、各駐車ブロックでの混雑状況を示す文字情報を重畳表示させる態様（図６の（ａ））、各駐車ブロックと、混雑状況を示す文字情報を表形式で表示させる態様（図６の（ｂ））、また駐車場２が立体駐車場である場合には、各フロアと、混雑状況を示す文字情報を表形式で表示させる態様（図６の（ｃ））などが、混雑状況を示す情報の提示態様としてあげられる。
【００５３】
検索用端末５は、車両識別情報の入力部５０と、駐車位置情報取得手段５１と、表示制御手段５２と、表示部５３とを備えている。
【００５４】
入力部５０は、タッチパネル（図示せず）や、情報記録媒体に記憶されている車両識別情報の読取装置（図示せず）を備えている。
タッチパネルの場合には、ユーザがタッチパネルから車両識別情報を入力することで、自車両の駐車位置を要求するように構成されており、読取装置である場合には、ユーザが情報記憶媒体に記憶されている車両識別情報を、読取装置に読み取らせることで、自車両の駐車位置に関する情報の管理装置４からの取得を指示入力するように構成されている。
【００５５】
駐車位置情報取得手段５１は、入力部５０で入力された車両識別情報、または入力部５０で読み取った車両識別情報に基づいて、車両識別情報により特定される車両の駐車位置情報を、管理装置４に要求する。
【００５６】
表示制御手段５２は、管理装置４側から入力される車両の駐車位置情報に基づいて、検索用端末５が備える表示部５３に、駐車位置を示す情報を提示する。
例えば、図４の（ａ）に示すように、駐車場における各駐車ブロックの位置関係を表示する模式図が、検索用端末５の表示部５３に表示される場合には、車両Ｖが駐車している駐車ブロック（例えば駐車ブロックＤ）が、他の駐車ブロックＤから視覚的に区別できる態様（例えば、着色表示）で表示されて、検索用端末５の操作者に、車両の大まかな駐車位置が提示されることになる。
【００５７】
以下、管理装置４で実行される処理を説明する。
図７は、管理装置４で実行される処理を説明するフローチャートであって、車両データベース４２１に記憶されている車両識別情報の関係レコートの管理を説明する図である。
【００５８】
始めに、車両識別情報を含む無線信号を受信すると（ステップ１０１、Ｙｅｓ）、ステップ１０２において情報管理手段４１２が、無線信号を受信したアンテナが、駐車場２の出口に設置したアンテナ３ｅであるか否かを確認する。
出口に設置したアンテナ３ｅである場合（ステップ１０２、Ｙｅｓ）、ステップ１０３において、情報管理手段４１２が、受信した車両識別情報に関係するレコード（関係レコード）が、車両データベース４２１に登録されているか否かを確認し、登録されている場合には（ステップ１０３、Ｙｅｓ）、ステップ１０４において情報管理手段４１２が、受信した車両識別情報の関係レコードを、車両データベース４２１から削除する。
【００５９】
出口に設置したアンテナ３ｅで車両識別情報を受信した場合には、当該車両識別情報を含む無線信号を発信した車両Ｖが、駐車場２の外に出たことになるからである。
よって、図３の（ａ）において、出口に設置したアンテナ３ｅで受信した車両識別情報が「Ａ００２３０１」である場合には、この識別番号の関係レコードであるシリアル番号（Ｓ／Ｎ）が「０１０３」のレコードが削除されることになる。
【００６０】
なお、削除した車両識別情報に関係づけられた他の車両識別情報が存在する場合には、当該他の車両識別情報の関係レコードも削除する。
ここで、「削除した車両識別情報に関係づけられた他の車両識別情報」とは、削除した車両識別情報で特定される車両が持つ他の車両識別情報を意味する。
実施の形態では、車両Ｖが備える４つのタイヤの空気圧センサ９１毎に割り当てられた識別番号を、車両識別情報として用いており、１つの車両に対して４つの車両識別情報が存在する。車両データベース４２１では、同一の車両の車両識別番号であると確認された場合には、確認された車両識別情報同士が、共通の車両のものであることが判るように、車両識別情報同士が関連づけられている。
【００６１】
無線信号を受信したアンテナが、出口に設置したアンテナ３ｅでない場合（ステップ１０２、Ｎｏ）、ステップ１０５において、情報管理手段４１２が、受信した車両識別情報に関係するレコード（関係レコード）が、車両データベース４２１に登録されているか否かを確認する。
そして、登録されていない場合には（ステップ１０５、Ｎｏ）、ステップ１０４において登録手段４１１が、受信した車両識別情報の関係レコードを、車両データベース４２１に作成する。
【００６２】
ここで、図３の（ａ）に示すように、登録されていない車両識別情報が「Ａ００１０２１」であり、この車両識別情報を含む無線信号を受信したアンテナが駐車場の入口に設置したアンテナ３ｆであり、無線信号を受信した時刻が「１０：４５」である場合を例に挙げて説明すると、
車両識別情報が「Ａ００１０２１」である新規のレコードが、車両識別情報の関係レコード（シリアル番号（Ｓ／Ｎ）＝０１０５）として作成されると共に、作成されたシリアル番号（Ｓ／Ｎ）が「０１０５」であるレコードに、アンテナ３ｆのアンテナＩＤ「Ｆ」が登録されると共に、登録時刻と更新時刻に、「１０：４５」が登録される。
【００６３】
なお、登録されていない車両識別情報が、他のアンテナ３ａ〜３ｄで受信された場合にも、車両識別情報の関係レコードが、車両データベース４２１に新規に作成される。この場合には、アンテナ３ｆのアンテナＩＤの入力欄（アンテナＩＤ欄）に、受信したアンテナのアンテナＩＤ、例えばアンテナ３ａで無線信号を受信していた場合には、アンテナ３ａのアンテナＩＤである「Ａ」が、前記した「Ｆ」の代わりに登録されることになる。
空気圧センサ９１は、所定間隔で無線信号を発信するので、車両識別情報が登録されていない車両が入口端末３２の前を通過する際に、空気圧センサ９１から車両識別情報を含む無線信号が送信されない場合も生じ得るからである。
【００６４】
また、受信した無線信号に含まれる車両識別情報に関係するレコード（関係レコード）が、車両データベース４２１に登録されている場合には（ステップ１０５、Ｙｅｓ）、ステップ１０７において情報管理手段４１２が、登録されている関係レコードでのアンテナＩＤと、無線信号を受信したアンテナのアンテナＩＤとが一致するか否かを確認する。
【００６５】
両アンテナＩＤが一致しない場合（ステップ１０７、Ｎｏ）、ステップ１０８において情報管理手段４１２が、関連レコードのアンテナＩＤを、無線信号を受信したアンテナのアンテナＩＤに更新すると共に、関連レコードの更新時刻を、無線信号の受信時刻に更新する。
【００６６】
ここで、図３の（ｂ）を参照して、新たに受信した無線信号に含まれている車両識別情報が「Ｘ０００１２３」であり、この車両識別情報を含む無線信号をアンテナ３ｄで、時刻「１０：２５」に受信した場合を例に挙げて説明する。
この場合には、車両識別情報が「Ｘ０００１２３」である関係レコード（シリアル番号（Ｓ／Ｎ）＝０１２４）のアンテナＩＤ「Ｆ」は、無線信号を受信したアンテナ３ｄのアンテナＩＤ「Ｄ」と異なっている。
よって、シリアル番号（Ｓ／Ｎ）＝０１２４の関係レコードにおいて、アンテナＩＤが、「Ｆ」から「Ｄ」に更新されると共に、更新時刻「１０：２０」が、無線信号の受信時刻「１０：２５」に更新される。
【００６７】
一方、両アンテナＩＤが一致する場合（ステップ１０７、Ｙｅｓ）、ステップ１０９において情報管理手段４１２が、関連レコードの受信時刻を更新する。
【００６８】
ここで、図３の（ｂ）を参照して、新たに受信した無線信号に含まれている車両識別情報が「Ａ００２３０１」であり、この車両識別情報を含む無線信号をアンテナ３ｂで、時刻「１０：１５」に受信した場合を例に挙げて説明する。
この場合には、車両識別情報が「Ａ００２３０１」である関係レコード（シリアル番号（Ｓ／Ｎ）＝０１２３）のアンテナＩＤ「Ｂ」は、無線信号を受信したアンテナ３ｂアンテナ「Ｂ」と一致している。
よって、シリアル番号（Ｓ／Ｎ）＝０１２３の関係レコードにおいて、更新時刻「１０：１０」が、無線信号の受信時刻「１０：１５」に更新される。
【００６９】
次に、情報管理手段４１２が実行する車両データベース４２１でのレコードの削除処理を説明する。
前記したように、駐車場２内のアンテナ３ａ〜３ｄ、３ｆ、車両データベース４２１に登録されていない車両識別情報を含む無線信号を受信すると、受信した無線信号に含まれる車両識別情報を情報項目として含む関係レコードが作成される。
そして、駐車場の出口端末３１のアンテナ３ｅで、車両データベース４２１に登録されている車両識別情報を含む無線信号を受信すると、受信した無線信号に含まれる車両識別情報を情報項目として含む関係レコードが削除される。
【００７０】
ここで、空気圧センサ９１は、所定間隔で無線信号を発信するので、車両識別情報が登録されている車両が出口端末３１の前を通過する際に、空気圧センサ９１から車両識別情報を含む無線信号が送信されない場合がある。
そうすると、既に駐車場２から出庫した車両Ｖに関係する車両識別情報が、車両データベース４２１から削除されずに残ったままになる場合がある。
そのため、情報管理手段４１２は、駐車場２から出庫したと判断される車両に関係する車両識別情報を抽出して、車両データベース４２１から削除する定期処理を実行している。
【００７１】
図８は、情報管理手段４１２が実施する定期処理を説明する図である。
ステップ２０１において情報管理手段４１２は、車両データベース４２１を参照して、所定期間（例えば、２４時間以上）更新されていないレコード（長期未更新レコード）が存在するか否かを、各レコードの更新時刻を参照して判定する。
【００７２】
長期未更新レコードが存在する場合（ステップ２０１、Ｙｅｓ）、ステップ２０２において、情報管理手段４１２は、長期未更新レコードを、車両データベース４２１から削除する。
そして、情報管理手段４１２は、削除したレコードの車両識別情報を、記憶部４２が備える未確認リスト（図示せず）に登録する。
例えば、図３の（ａ）において、車両識別情報が「Ｂ００４２１０」である関係レコード（シリアル番号（Ｓ／Ｎ）＝０１０２）が、所定時間以上更新されていない場合には、このシリアル番号（Ｓ／Ｎ）＝０１０２の関係レコードが、車両データベース４２１から削除されると共に、この削除された関係レコードの内容が、そのまま未確認リストに登録される。
【００７３】
これにより、車両データベース４２１内に更新されないままで残るレコードが削除されることになる。
【００７４】
次に、公開情報管理手段４１４が実行する公開用データベース４２２の更新処理を説明する。
図９は、情報管理手段４１４が実行する公開用データベース４２２の更新処理のフローチャートである。
始めに、ステップ３０１において公開情報管理手段は、規定時間が経過したか否かを確認する。
規定時間が経過していない場合（ステップ３０１、Ｎｏ）は、処理を終了する。
規定時間が経過している場合（ステップ３０１、Ｙｅｓ）は、ステップ３０２において、公開情報管理手段４１４は、規定時間をカウントするタイマをリセットしたのち、ステップ３０３において、公開情報管理手段４１４は、車両データベース４２１の内容に基づいて、公開用データベース４２２を更新する。具体的には、駐車ブロック毎の混雑状況を、車両データベース４２１に登録された駐車ブロック毎のＩＤに基づいて更新する。
【００７５】
続いて、ステップ３０４において、駐車場情報提供手段４１５は、駐車場２内などに設置された案内装置６に表示されている情報を、更新後の公開用データベース４２２の内容に変更する。
【００７６】
そしてステップ３０５において、駐車場情報提供手段４１５は、更新後の公開用データベース４２２の内容で、公開用サーバ７が備える公開用データベース７１の内容を更新する。
【００７７】
以上の通り、実施の形態では、
（１）車両Ｖ側から発信される無線信号のうち、車両Ｖを識別可能な情報である車両識別情報を含む無線信号を用いる駐車場管理システム１であって、
複数の駐車スペースＳ（Ｓ１〜Ｓ１６）を有する駐車場２内に設置した複数のアンテナ３（３ａ〜３ｆ）と、駐車場２内に存在する車両Ｖの情報を管理する管理装置４と、を備え、
管理装置４は、
アンテナ３を介して無線信号を受信すると、無線信号を受信したアンテナの識別番号（アンテナＩＤ）と、受信した無線信号に含まれる車両識別情報とを関連付けて、車両データベース４２１に登録する登録手段４１１と、
車両識別情報に基づいて車両Ｖの駐車位置を示す情報が要求されると、車両データベース４２１を参照して、車両識別情報に関連付けられたアンテナＩＤを取得し、取得したアンテナＩＤにより特定されるアンテナの設置位置に基づいて、車両の駐車位置を提示する駐車位置提示手段４１３と、を有する構成の駐車場管理システムとした。
【００７８】
このように構成すると、車両Ｖ側から発信される無線信号に含まれている車両識別情報に基づいて車両データベース４２１を参照すると、車両識別情報に関連づけられたアンテナＩＤと、このアンテナＩＤにより特定されるアンテナ３ａ〜ｄの設置位置を特定できるので、特定したアンテナの設置位置から、車両の駐車位置を知ることができる。
よって、携帯電話網や衛星から送信される信号に大きく依存せずに、車両の駐車位置のような駐車場に関する情報を、ユーザに知らせることができる。
【００７９】
また、前記した実施の形態では、駐車場２が平面駐車場である場合を例示したが、本発明は立体駐車場や地下駐車場にも適用可能である。
かかる場合には、地下駐車場のように、携帯電話が圏外となって使用できない場合やＧＰＳ衛星からのＧＰＳ信号を受信できない場合、そして、立体駐車場のように、ＧＰＳレシーバにより取得した位置情報だけでは、立体駐車場におけるどの階層にいるのかが判らない場合であっても、ユーザの要求に応じて、車両の駐車位置を適切に通知することができる。
【００８０】
（２）無線信号は、車両Ｖのタイヤの空気圧をモニタするタイヤ空気圧モニタシステム９０の空気圧センサ９１（モニタ装置）が、タイヤ空気圧に関する情報に空気圧センサ９１の識別番号を付加して、定期的に送信する無線信号であり、
管理装置４では、空気圧センサ９１の識別番号を、車両識別情報として用いている構成とした。
【００８１】
タイヤ空気圧モニタシステム９０では、空気圧センサ９１が空気圧をモニタしているタイヤが、車両Ｖが備えるタイヤのうちのどのタイヤであるのかを特定するために、空気圧センサ９１に固有の識別番号が割り当てられている。
そのため、空気圧センサ９１が送信する無線信号に含まれる空気圧センサ９１の識別番号を、車両識別情報として用いることができる。
これにより、車両識別情報を無線送信する装置を車両Ｖに別途設けることなく、駐車場における車両の位置を管理できるので、駐車場管理システムの導入コストを低減できる。
【００８２】
なお、空気圧センサに固有の識別番号に代えて、キーレスエントリーシステムの携帯機に固有の識別番号を用いるようにしても良い。
駐車スペースに駐車した車両ドアを施錠する際には、キーレスエントリーシステムの携帯機から、当該携帯機に固有の識別番号を含む無線信号が送信されるので、この携帯機に固有の識別番号も、車両識別情報として利用可能だからである。
この場合、車両ドアを解錠する際に、携帯機から無線送信される解錠信号を受信したら、蓄積された車両識別情報を削除すればよい。
【００８３】
（３）駐車場２内の駐車スペースＳは、複数の駐車ブロックＡ〜Ｄに区画されており、アンテナ３ａ〜３ｄは、複数の駐車ブロックＡ〜Ｄの各々に設けられて、アンテナ３ａ〜３ｄが設けられた駐車ブロックＡ〜Ｄ内に位置する車両Ｖから送信される無線信号を受信するように構成されており、
駐車位置提示手段４１３は、車両識別情報に基づいて車両の駐車位置を示す情報が要求されると、車両データベース４２１を参照して、車両識別情報に関連付けられたアンテナ３ａ〜３ｄのアンテナＩＤを取得し、取得したアンテナＩＤにより特定されるアンテナが設置された駐車ブロックＡ〜Ｄを、車両Ｖの駐車位置として提示する構成とした。
【００８４】
このように構成すると、駐車スペースＳ毎に車両の有無を検知するセンサを設ける場合よりも安価に車両の駐車位置に関する情報を提供できる。
【００８５】
（４）管理装置４は、車両データベース４２１に登録されている情報を管理する情報管理手段４１２を有しており、
情報管理手段４１２は、駐車場２の出口端末３１のアンテナ３ｅにより、車両識別情報を含む無線信号を受信すると、受信した無線信号に含まれる車両識別情報に関係するレコード（情報）を、車両データベース４２１から削除する構成とした。
【００８６】
このように構成すると、駐車場２からの出庫が確認できた車両Ｖに関する情報を、車両データベース４２１から速やかに削除できる。
【００８７】
（５）情報管理手段４１２は、アンテナ３ａ〜３ｄを介して受信した無線信号に含まれる車両識別情報が、車両データベース４２１に既に登録されている場合には、車両識別情報とアンテナＩＤとの関連付けを、新たに無線信号を受信したアンテナのアンテナＩＤとの関連づけに更新する構成とした。
【００８８】
このように構成すると、駐車場２内での駐車位置を変更した場合には、車両の駐車位置を示す情報（アンテナＩＤ）が、移動先の駐車位置を示す情報（アンテナＩＤ）に更新されると共に、
駐車場２内での駐車位置を変更していない場合には、車両の駐車位置を示す情報（アンテナＩＤ）が、同じ内容にて更新される。
よって、駐車位置の変更があった場合には、変更後の駐車位置を適切に提示することができる。
【００８９】
（６）情報管理手段４１２は、車両データベース４２１に登録されている車両識別情報のレコードのうち、アンテナＩＤとの関連づけが所定時間以上更新されていない車両識別情報を含むレコードを、車両データベース４２１から削除する構成とした。
【００９０】
車両識別情報とアンテナＩＤとの関連づけが所定時間以上更新されていない場合、車両識別情報を含む無線信号が、駐車場２内の何れのアンテナ３でも受信されていないことを意味しており、かかる場合には、車両Ｖが駐車場２から既に出庫していることが想定される。
よって、上記のように構成して、定期的に車両データベース４２１から、更新のない車両識別情報を含むレコードを削除することで、車両データベース４２１に登録されている情報に基づいて提供される駐車場の情報（混雑状況を示す情報）の確度を向上させることができる。
【００９１】
（７）前記管理装置は、車両データベース４２１に登録されている情報から生成される情報であって、駐車場２内での車両の駐車状況に関する情報を表示する案内装置６に表示させる駐車場情報提供手段４１５（情報表示手段）を有している構成とした。
【００９２】
このように構成すると、駐車場２を利用しようとしているユーザや、駐車場２内で空き駐車スペースＳを探しているユーザに、駐車場内の情報を適切に供給することができるので、ユーザの利便性が向上する。
【００９３】
（８）駐車場管理システム１は、駐車場２における車両Ｖの駐車位置を検索する検索用端末５（検索装置）を、さらに備えており、
検索用端末５は、
車両識別情報に基づいて車両Ｖの駐車位置を示す情報が要求されると、車両識別情報に基づいて、車両データベース４２１から、車両の駐車位置を示す情報を取得する識別情報取得手段５１と、
取得した車両の駐車位置を示す情報を、表示部５３に提示する表示制御手段５２と、を有している構成とした。
【００９４】
このように構成すると、車両データベース４２１では、車両識別情報に関係づけて車両Ｖの駐車位置を示す情報が登録されているので、
例えば、ユーザが、検索用端末５が備える入力部５０から車両識別情報を入力して、車両識別情報により特定される車両Ｖの駐車位置を示す情報を要求すると、識別情報取得手段５１が、車両Ｖの駐車位置を示す情報を、管理装置４から取得して、表示制御手段５２が取得した情報を表示部５３上に表示させるので、車両Ｖの駐車位置を示す情報を要求したユーザに適切に提供できる。
【００９５】
（９）駐車場２の入口には、駐車場２に入場する車両に対して情報記録媒体を発行する入口端末３２（発行装置）が設けられており、
入口端末３２は、当該入口端末３２のアンテナ３ｆが無線信号を受信すると、受信した無線信号に含まれる車両識別情報を情報記録媒体に記憶させるように構成されており、
検索用端末５の入力部５０は、情報記録媒体に記憶された車両識別情報を取得する読取装置を備えており、
識別情報取得手段５１は、入力部５０の読取装置が情報記録媒体に記憶されている車両識別情報を取得すると、取得した車両識別情報に基づいて、管理装置４から車両の駐車位置を示す情報を取得する構成とした。
【００９６】
このように構成すると、車両Ｖが入口端末３２を通過する際に受信された無線信号に含まれる車両識別情報が、情報記録媒体に記憶されるので、上記のように構成して、検索用端末５の入力部５０の読取装置が、情報記録媒体から車両識別情報を取得するようにすることで、検索用端末５を利用するユーザが、検索用端末５が備える入力部５０から、車両識別情報を入力する手間を省略できる。よって、ユーザの利便性が向上する。
【００９７】
なお、駐車場２の入口にゲートが設置されており、駐車場内への車両の入場が、車両一台毎のゲートの開閉により行われるように構成されている場合であって、駐車場２の入口に設置された入口端末３２のアンテナ３ｆが、駐車場の位置口で入場待ちをしている一台の車両から送信される無線信号のみを受信できるように構成されている場合には、ゲートが開くまでの間に、アンテナ３ｆが複数の無線信号を受信した際に、複数の無線信号の各々に含まれる車両識別情報を、同一の情報記録媒体に記録させる構成としても良い。
【００９８】
このように構成すると、複数の車両識別情報が、一台の車両に関係づけられることになる。
よって、駐車場２の出口端末３１のアンテナ３ｅで受信した無線信号に、一台の車両に関係づけられた複数の車両識別情報のうちの１つが含まれている場合に、情報管理手段４１２が、受信した無線信号に含まれていた車両識別情報のレコードと、この車両識別情報に関係付けられている他の車両識別情報のレコードとを、車両データベース４２１から削除するように構成することで、出庫済みの車両の車両識別情報に関係するレコードが、車両データベース４２１内に残留する量を減らすことができる。
【００９９】
また、ユーザが、車両のタイヤの各々に取り付けられた空気圧センサ９１の識別番号を記憶した情報記憶媒体（例えば、キーレスエントリーシステムにおける携帯機）を所持していると共に、この情報記録媒体に記憶された車両識別情報を、検索用端末５の読取装置が取得するように構成されている場合には、
識別情報取得手段５１が、読取装置で取得された車両識別情報に基づいて、車両データベース４２１から車両の駐車位置を示す情報を取得する構成としても良い。
【０１００】
このように構成することによっても、車両識別情報を入力する手間を省略できる。よって、ユーザの利便性が向上する。
【０１０１】
さらに、この際に、管理装置４の情報管理手段４１２が、車両データベース４２１に登録されている車両識別情報のうち、読取装置で取得した車両識別情報が一台の車両のものであるとして関連付けるように構成してもよい。
この場合にも、駐車場２の出口端末３１のアンテナ３ｅで受信した無線信号に、一台の車両に関係づけられた複数の車両識別情報のうちの１つが含まれている場合に、情報管理手段４１２が、受信した無線信号に含まれていた車両識別情報のレコードと、この車両識別情報に関係付けられている他の車両識別情報のレコードとを、車両データベース４２１から削除するように構成することで、出庫済みの車両の車両識別情報に関係するレコードが、車両データベース４２１内に残留する量を減らすことができる。
【０１０２】
（１０）駐車場２に関する情報を公開するためのデータベースであって、携帯端末Ｔ（外部端末）から通信回線を介してアクセス可能な公開用データベース７１を有する公開用サーバ７（サーバ装置）を備えており、
携帯端末Ｔは、ユーザが所持する携帯機である構成とした。
【０１０３】
このように構成すると、駐車場２を利用しようとしているユーザや、駐車場２内で空き駐車スペースＳを探しているユーザに、駐車場内の情報を適切に供給することができるので、ユーザの利便性が向上する。
【符号の説明】
【０１０４】
１      駐車場管理システム
２      駐車場
３（３ａ〜３ｆ）    アンテナ
４      管理装置
５      検索用端末
６      案内装置
７      公開用サーバ
３１    出口端末
３２    入口端末
４０    バス
４１    ＣＰＵ
４２    記憶部
４３    入出力ポート
５０    入力部
５３    表示部
７１    公開用データベース
９０    タイヤ空気圧モニタシステム
９１    空気圧センサ
９２    モニタ装置
４１１  登録手段
４１２  情報管理手段
４１３  駐車位置提示手段
４１４  公開情報管理手段
４１５  駐車場情報提供手段
４２１  車両データベース
４２２  公開用データベース
Ａ〜Ｄ      駐車ブロック
Ｓ      駐車スペース
Ｔ      携帯端末
Ｖ      車両
【図１】
2016057985.tif 000003
【図２】
2016057985.tif 000004
【図３】
2016057985.tif 000005
【図４】
2016057985.tif 000006
【図５】
2016057985.tif 000007
【図６】
2016057985.tif 000008
【図７】
2016057985.tif 000009
【図８】
2016057985.tif 000010
【図９】
2016057985.tif 000011